(57)【要約】      （修正有）【課題】筆記用メモ用紙を備え、筆記機能を備えた衣服用ベルトを提供する。【解決手段】一面に、バックル素子を装着したベルト本体４を、他面に、所望形状の磁性体１８を、夫々装着した方形の内蓋上バックル受台と、複数の筆記用メモ用紙を収納した金属製の方形メモ用紙収納箱本体２とを、前者の下端に設けられた雄型蝶番突起８を介して、回動自在に連結して一個の筆記用メモ用紙収納箱を形成し、着体されたバックル受台の表面に対して、メモ用紙収納箱本体の内面が、９０度回動して固定し、この固定面上の収納筆記用メモ用紙１３上に、必要短文を素早く筆記する様に構成した事を特徴とするものである。【選択図】図３
0003195902.tif 000002
【実用新案登録請求の範囲】
【請求項１】
所定寸法の一本のベルト本体の一端に装着された方形の内蓋状バックル受台と、此れに蝶番連結された方形の金属製筆記メモ用紙収納箱本体とより成り、前記方形の内蓋状の内面には一個の鋼が装着されており、バックル受台の表面には、一個の磁性体が装着されており、前記方形箱状の筆記メモ用紙収納箱本体は、その雌型蝶番突起を介して、二本のネジに依り、前記バックル受台の雄型蝶番突起の横軸線上を、回動自在に連結され、前記バックル受台上の磁性体により、磁性的に密封閉開自在に構成されている事を特徴とする筆記機能を備えた衣服用ベルト。
【請求項２】
前記内蓋状バックル台座の表面に対して、前記筆記メモ用紙収納箱本体が、直角の位置まで回動して固定するが如く、前者の雄型蝶番突起の円周面上に、一個のストッパーを設けた事を特徴とする請求項１記載の衣服用ベルト。
【請求項３】
前記筆記メモ用紙収納箱本体の左右側辺上に、夫々収納された筆記メモ用紙押さ舌片を設けると共に、その前側辺中央に、収納した筆記用メモ用紙取り出し用の指掛け舌片を備えた溝を設けた事を特徴とする請求項１又は２に記載の衣服用ベルト。
【考案の詳細な説明】
【考案の詳細な説明】
【技術分野】
【０００１】        本考案は、筆記メモ用紙を収納する箱状部材を備えた筆記機能を備えた衣服用ベルトに関する。
【背景技術】
【０００２】        従来から、日用品小物入れ、ポシェット、種々な工具、必要な必需品容器を取り付けた衣服用ベルトは多数提案されている。然しながら、衣服用ベルト、本体の一端にある方形状の受台に、筆記用部材を備え筆記機能を備えた、衣服用ベルトは提案されていない。
本考案は、此の様な衣服の一部として装備でき起立や歩行姿勢でも、迅速な筆記の出来る、筆記機能を備えた衣服用ベルトを提供せんとするものである。
【考案が解決しようとする課題】
【０００３】        ビジネスマン、特に外回り営業担当者等においては、携帯電話は必需品となっている。携帯電話通話中、メモが必要なときがある、片手は携帯電話に独占されている為、ポケット手帳のメモは極めて困難である、メモの必要性のある場合は手や腕等に筆記していた。
【０００４】        本考案は、此の様な出先機関又は仕事現場での手帳、帳簿機能の不便不利を改善し、筆記機能、筆記メモ用紙を備えた。衣服用ベルトを提案する事を課題とする。
【課題を解決する為の手段】
【０００５】        この様な課題を解決する為に本考案の衣服用ベルトに於いては、金属製のバックルを締め込みベルトの本体の一端に装着し、このバックルを、筆記メモ用紙を収納する箱状の金属製メモ用紙収納箱本体と、この箱を内蓋上に密閉すると同時に、前記バックルのバックル素子を裏面に係止したメモ用紙収納箱受台とで構成し、後者に設けられた雄型蝶番突起と、前者に設けられた雌型突起とを蝶番して、閉開自在に構成し、着帯時に、前者が後者に対して９０度、
前方に回動して固定し、前者が収納するメモ用紙上に、必要な文章を筆記しえる様に構成した事を特徴とするものである。
【考案の効果】
【０００６】      斯くの如き構造の衣服用ベルトは、以下の如き諸効果を備えている。
バックル筆記メモ用紙収納箱型衣服用ベルトの効果。
［１］筆記メモ用紙は、収納箱側辺上の舌片で押圧されている為箱外への散乱を防ぐ          。
［２］筆記メモ用紙収納箱、前側辺の舌片溝により、筆記されたメモ用紙の取出しが          極めて容易である。
［３］筆記メモ用紙収納箱は、腹部で水平に固定されるので筆記し易い。
［４］筆記メモ用紙収納箱は磁性体による開閉機能の為、故障がない。
［５］筆記メモ用紙と筆記機能を備えた衣服用ベルトの為、持ち忘れる事がない。
【０００７】      本考案の衣服用ベルトは、請求項１に記載の如く、バックル型ベルト（１）の状態を示すものであって、主として、ベルト本体（４）の一端に装着されたバックル素子（１７）で、胴回りしたベルト本体の他端近辺（５）を挟持する型式のベルトであり、主として適当寸法の筆記メモ用紙（１３）を収納した箱状の筆記メモ用紙収納箱本体（２）（以下メモ箱本体と呼称する。）と、衣服用ベルトの本体（４）に接続し、バックル素子（１７）を回動自在に装着した内蓋状のメモ箱本体受台とを、後者受台の雄型蝶番突起を介して回動自在に接続した構造より成るものである。
【０００８】      一方、前記メモ箱本体受台（３）は、その表面上に、所定形状の磁性体素子（１１）を装着し、その裏面には、前記バックル素子（１７）を、ピン
0003195902.tif 000003
【０００９】      又一方前記メモ箱本体（２）は、その雌型蝶番突起（６）（７）とネジ（１５）とに依り、前記メモ箱本体受台（３）と蝶番連結され、矢印（Ｆ）（Ｆ′）方向に回動するが如く形成され、その両側辺（１２）には収納するメモ用紙（１３）を、外側に飛び出さない様に押圧する１対の押え舌片（１４）を、その上辺（１２′）には、このメモ用紙（１３）を取り出すための指掛け舌片（１０）を備えている。
【００１０】      此の様な構成に於いて、本考案の衣服用ベルト（１）は図１及び（２）示す如く、先ず、前記メモ箱本体受台（３）の裏面に装着されたバックル素子付ベルト本体（４）の先端（５）を、そのバックル素子（１７）の上面の空隙孔に、（５）に示すが如く挿通して、胴体締め込みを行って装帯される。
【００１１】      その後必要に於いては、このメモ箱本体（２）は、図２に示すが如く、その指掛け舌片溝（１０）を、矢印（Ｆ）方向に引っ張り、矢印方向に開口させる。
【００１２】      その際、前記メモ箱受台雄型蝶番突起の表面には、図３に示すが如く、横軸線に対して９０度回動した位置に、１個のストッパー（９）が設けられているので、此の点に於いてその回動は停止され、前記メモ箱本体受台表面に対して９０度の位置で略水平に固定される。
尚、符号（Ｔ）は、連絡用の携帯電話を、簡単なメーセージを筆記具（Ｐ）で示している。
【図面の簡単な説明】
【００１３】
【図１】は、本考案の筆記機能を備えた衣服用ベルトの正面部分図である。
【図２】は、図１の線ＩＩ−ＩＩに沿って切断した断面図である。
【図３】は、メモ用紙を収納した箱状の筆記メモ用紙収納箱本体図である。
【図４】は、本考案の筆記メモ収納箱の、分解した筆記メモ用紙収納箱本体と、その内蓋状受台との内面を示す平面図である。
【図５】は、上記筆記メモ収納箱に収納されるメモ用紙の平面図である。
【図６】は、本考案の筆記機能を備えた衣服用ベルトの筆記利用を示す斜視図である。
【符号の説明】
【００１４】（１）    筆記機能を備えた衣服用ベルト
（２）    筆記メモ用紙収納箱本体
（３）    筆記メモ用紙収納箱本体受台
（４）    ベルト本体
（６）    筆記メモ用紙収納箱雌型蝶番突起
（８）    筆記メモ用紙収納箱受台雄型蝶番突起
（９）    ストッパー
（１０）  指掛け舌片溝
（１１）  筆記メモ用ペン
（１３）  筆記メモ用紙
（１４）  筆記メモ用紙押え舌片
（１５）  ネジ
（１７）  バックル素子
（１８）  磁性体
（１９）  ネジ
（２０）  鋼
【図１】
0003195902.tif 000004
【図２】
0003195902.tif 000005
【図３】
0003195902.tif 000006
【図４】
0003195902.tif 000007
【図５】
0003195902.tif 000008
【図６】
0003195902.tif 000009